【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
第一基板収容部材と、該第一基板収容部材に組み付けられる第二基板収容部材とを備え、該第一基板収容部材と該第二基板収容部材とが互いに組み付けられることで、該第一基板収容部材と該第二基板収容部材とで構成される内部空間に、遊技機用の基板が配置されると共に、該基板の一側面に第一基板収容部材及び第二基板収容部材のうち一方が配置され、かつ該基板の他側面に他方が配置される遊技機用基板ケースであって、 該第一基板収容部材の内周面及び該第二基板収容部材の内周面には、該第一基板収容部材と該第二基板収容部材とが互いに組み付けられた状態で前記基板に向かって各々突出し、かつ該基板の基板面にまで臨んでおり、かつ当該遊技機用基板ケースの内部空間を、一の区画形成された領域と、当該一の区画形成された領域とは異なる他の区画形成された領域とに区画形成する壁部がそれぞれ設けられ、  前記各壁部は、前記基板面に直交する方向において同一軸線上に配置されていることを特徴とする遊技機用基板ケース。
【請求項２】
前記各壁部における一方の壁部が配置される前記基板の基板面に実装部品が実装されており、一方の壁部は、当該一方の壁部に対応する前記第一基板収容部材又は前記第二基板収容部材と前記実装部品とが干渉しない高さであり、かつ他方の壁部に比べて壁高さが高い請求項１に記載の遊技機用基板ケース。
【請求項３】
前記各壁部における根端部の幅長は、相対的に壁高さが高い壁部の方が、相対的に壁高さが低い壁部に比べて、幅広となっている請求項２に記載の遊技機用基板ケース。
【請求項４】
前記基板には、該基板に実装された遊技抽選に関わらない非抽選関与部品が備えられ、  さらに前記基板には、該基板に実装された遊技抽選に関わる抽選関与部品が備えられ、  前記非抽選関与部品は、前記一の区画形成された領域に定められ、  前記抽選関与部品は、前記他の区画形成された領域に定められており、  前記一の区画形成された領域で暖められた空気の流通が、当該一の区画形成された領域と前記他の区画形成された領域との間で前記壁部によって抑制されている請求項１乃至請求項３のいずれか１項に記載の遊技機用基板ケース。
【請求項５】
前記第一基板収容部材及び／又は前記第二基板収容部材には、前記一の区画形成された領域と前記基板ケースの外部空間との空気流通を可能にする放熱用開口部が設けられている請求項１乃至請求項４のいずれか１項に記載の遊技機用基板ケース。
【請求項６】
前記他の区画形成された領域には、さらに保護領域が定められており、  前記基板には、該基板に実装された遊技抽選に関わらない非抽選関与部品が備えられ、  さらに前記基板には、該基板に実装された遊技抽選に関わる抽選関与部品が備えられ、  前記保護領域に、前記抽選関与部品が備えられており、  前記保護領域は、前記抽選関与部品が前記内部空間内に位置するカバーにより被覆されることにより構成される請求項１乃至請求項５のいずれか１項に記載の遊技機用基板ケース。
【請求項７】
請求項１乃至請求項６のいずれか１項に記載の遊技機用基板ケースを備えた遊技機。
【手続補正２】
【補正対象書類名】明細書
【補正対象項目名】０００２
【補正方法】変更
【補正の内容】
【０００２】  従来、パチンコ機やスロットマシンなどの遊技機には、種々の電子部品が実装された基板が備えられていることはよく知られている（例えば、特許文献１）。具体的に、該基板には、メイン基板と、サブ基板とがあり、該メイン基板には、主に遊技の抽選（当落判定）に関与する実装部品（ＲＯＭ，ＲＡＭ，ＣＰＵ等）が配設されている。これに対し、サブ基板には、メイン基板から送信されたデータを受信して、例えばＢＧＭ等の音響、演出ランプの点滅、あるいは液晶画面の演出等の作動を行う実装部品（音源ＩＣ等）が主に配設されている。さらに、かかるメイン基板やサブ基板は、不正行為防止を主目的として、各々基板ケースに収容されていることもよく知られている。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】  そこで、本発明は、基板ケース内において、一の区画形成された領域と、他の区画形成された領域とを形成して閉塞状態の空間を画定すること、及び基板の歪みを防止する遊技機用基板ケースを提供することを目的とする。
【手続補正８】
【補正対象書類名】明細書
【補正対象項目名】０００９
【補正方法】変更
【補正の内容】
【０００９】  本発明は、第一基板収容部材と、該第一基板収容部材に組み付けられる第二基板収容部材とを備え、該第一基板収容部材と該第二基板収容部材とが互いに組み付けられることで、該第一基板収容部材と該第二基板収容部材とで構成される内部空間に、遊技機用の基板が配置されると共に、該基板の一側面に第一基板収容部材及び第二基板収容部材のうち一方が配置され、かつ該基板の他側面に他方が配置される遊技機用基板ケースであって、該第一基板収容部材の内周面及び該第二基板収容部材の内周面には、該第一基板収容部材と該第二基板収容部材とが互いに組み付けられた状態で前記基板に向かって各々突出し、かつ該基板の基板面にまで臨んでおり、かつ当該遊技機用基板ケースの内部空間を、一の区画形成された領域と、当該一の区画形成された領域とは異なる他の区画形成された領域とに区画形成する壁部がそれぞれ設けられ、  前記各壁部は、前記基板面に直交する方向において同一軸線上に配置されていることを特徴とする遊技機用基板ケースである。  また、前記各壁部における一方の壁部が配置される前記基板の基板面に実装部品が実装されており、一方の壁部は、当該一方の壁部に対応する前記第一基板収容部材又は前記第二基板収容部材と前記実装部品とが干渉しない高さであり、かつ他方の壁部に比べて壁高さが高い構成としてもよい。  また、前記各壁部における根端部の幅長は、相対的に壁高さが高い壁部の方が、相対的に壁高さが低い壁部に比べて、幅広となっている構成としてもよい。  また、前記基板には、該基板に実装された遊技抽選に関わらない非抽選関与部品が備えられ、さらに前記基板には、該基板に実装された遊技抽選に関わる抽選関与部品が備えられ、前記非抽選関与部品は、前記一の区画形成された領域に定められ、前記抽選関与部品は、前記他の区画形成された領域に定められており、前記一の区画形成された領域で暖められた空気の流通が、当該一の区画形成された領域と前記他の区画形成された領域との間で前記壁部によって抑制されている構成としてもよい。  また、前記第一基板収容部材及び／又は前記第二基板収容部材には、前記一の区画形成された領域と前記基板ケースの外部空間との空気流通を可能にする放熱用開口部が設けられている構成としてもよい。  また、前記他の区画形成された領域には、さらに保護領域が定められており、前記保護領域に、前記抽選関与部品が備えられており、前記保護領域は、前記抽選関与部品が前記内部空間内に位置するカバーにより被覆されることにより構成されるようにしてもよい。  また、本発明は、上記した遊技機用基板ケースを備えた遊技機である。  なお、参考として以下のような構成も提案されうる。  第一基板収容部材と、該第一基板収容部材に組み付けられる第二基板収容部材とを備え、該第一基板収容部材と該第二基板収容部材とが互いに組み付けられることで、該第一基板収容部材と該第二基板収容部材とで構成される内部空間に、遊技機用の基板が配置されると共に、該基板の一側面に第一基板収容部材及び第二基板収容部材のうち一方が配置され、かつ該基板の他側面に他方が配置される遊技機用基板ケースであって、前記基板には、該基板に実装された遊技抽選に関わらない非抽選関与���品における発熱素子が含まれている発熱領域が定められ、また該第一基板収容部材の内周面及び該第二基板収容部材の内周面には、該第一基板収容部材と該第二基板収容部材とが互いに組み付けられた状態で前記基板に向かって各々突出し、かつ該基板の表裏にまで臨んでいる隔壁部がそれぞれ設けられ、当該各隔壁部によって当該基板ケースの内部空間には該発熱領域を含む放熱重点空間が区画形成されて、該放熱重点空間と該放熱重点空間以外の空間との間で該各隔壁部により空気流通が抑制されており、さらに該第一基板収容部材及び該第二基板収容部材には、前記放熱重点空間と当該基板ケースの外部空間との空気流通を可能にする放熱用開口部が各々設けられていることを特徴とする遊技機用基板ケースが提案される。
【手続補正９】
【補正対象書類名】明細書
【補正対象項目名】００２２
【補正方法】変更
【補正の内容】
【００２２】    本発明の遊技機用基板ケースは、基板ケース内において、一の区画形成された領域と、他の区画形成された領域とを形成して閉塞状態の空間を画定すること、及び基板の歪みを防止することができる。
【手続補正１０】
【補正対象書類名】明細書
【補正対象項目名】００２３
【補正方法】変更
【補正の内容】
【００２３】
【図１】実施例にかかる遊技機１の全体斜視図である。
【図２】図１に示した遊技機１の扉３を取り外した内部を示す斜視図である。
【図３】基板ユニット１０の斜視図である。
【図４】図３に示した基板ユニット１０の分解斜視図である。
【図５】サブ基板ユニット１８の斜視図である。
【図６】図５に示したサブ基板ユニット１８の分解斜視図である。
【図７】カバー３９ａの取り付け構造を示す分解斜視図である。
【図８】図６に示したサブ基板ユニット１８を裏側から示す分解斜視図である。
【図９】サブ基板ケース２０を切断して示す拡大斜視図である。
【図１０】サブ基板ケース２０の縦断面を示す説明図であり、組み付け前の状態を示している。
【図１１】サブ基板ケース２０の縦断面を示す説明図であり、組み付け状態を示している。
【図１２】図９のＡ−Ａ線における断面を示し、特に空気の流れを示す説明図である。
【図１３】図９のＡ−Ａ線における断面を示し、特に空気の流れを示す説明図である。
【図１４】図９のＡ−Ａ線における断面を示し、特に不正器具の侵入態様を示す説明図である。
【図１５】壁部４０，５０の先端部を拡大して示す説明図である。
【手続補正１１】
【補正対象書類名】明細書
【補正対象項目名】００６０
【補正方法】変更
【補正の内容】
【００６０】  また、不正行為防止手段としては、公知の不正行為防止構造を積極的に排除するものではない。
【手続補正１２】
【補正対象書類名】明細書
【補正対象項目名】００６２
【補正方法】変更
【補正の内容】
【００６２】１                              遊技機２０                            サブ基板ケース（遊技機用基板ケース）２１                            基板カバー（第二基板収容部材）２２                            基板ベース（第一基板収容部材）３０                            エアガイド３２                            放熱重点空間３３                            外側空間３８                            リブ３９                            サブ基板（基板）４０                            壁部４２                            発熱領域４２ａ                          非抽選関与部品５０                            壁部５１                            放熱用開口部５２                            内側開口面５３                            外側開口面５４                            放熱用開口部５５                            貫通孔